(57)【特許請求の範囲】
【請求項１】
磁場センサー装置において、
磁気回路コアの端面間に形成されたギャップ内に位置付けられる磁場検出器と、
ハウジングと、
接地デバイスと、
前記磁場検出器、前記ハウジング、および前記接地デバイスが取り付けられる回路基板と、
を含み、
前記磁場検出器および前記接地デバイスは、前記ハウジングに取り付けられ、
前記接地デバイスは、弾性的に支持され、かつ前記磁気回路コアと電気的に接触するように構成された、少なくとも１つの接点を含み、
弾性的に支持された前記接点は、前記磁場検出器の感知部分に隣接して取り付けられ、前記磁気回路コアのギャップに挿入されるように構成され、前記接点は、前記磁気回路コアの前記端面に対して弾性的に付勢し、
前記回路基板は、孔を含み、
前記ハウジングは、フランジを含む取り付け基部を含み、
前記孔、前記取り付け基部、および前記フランジは、前記ハウジングが、前記回路基板の前記孔を通じて挿入され、前記フランジによって、前記磁気回路コアに面する前記回路基板の面とは反対側にある、前記回路基板の接続面に載ることを可能にするように、構成されていることを特徴とする、磁場センサー装置。
【請求項２】
請求項１に記載の磁場センサー装置において、
前記磁場検出器は、前記ハウジングの取り付け基部に形成されたセンサー端子ガイドスロットの中に位置付けられた端子を含み、前記端子は、前記回路基板の面上の接触パッドに表面取り付け接続されるように構成されている、磁場センサー装置。
【請求項３】
請求項１または２に記載の磁場センサー装置において、
前記ハウジングは、前記磁場検出器が挿入され収容される、センサー受容キャビティを含む、磁場センサー装置。
【請求項４】
請求項３に記載の磁場センサー装置において、
前記ハウジングは、前記接地デバイスを前記ハウジングに対して保持または位置付けるように構成されている、前記ハウジングのそれぞれの外側面上に配された、接地端子ガイドスロットおよび接地自由端部ガイドスロットを含む、磁場センサー装置。
【請求項５】
請求項４に記載の磁場センサー装置において、
前記接地デバイスは、前記磁場検出器の周りに位置付けられた、伝導性材料の概ねＵ字型のバンドまたはストリップを含む、磁場センサー装置。
【請求項６】
請求項４または５に記載の磁場センサー装置において、
前記接点は、前記磁気回路コアのそれぞれの向かい合った端面と電気的に接触するように前記ハウジングの向かい合った側面上に設けられている、磁場センサー装置。
【請求項７】
請求項４〜６のいずれか１項に記載の磁場センサー装置において、
前記接点は、１つまたは２つ以上の端子を構成する、伝導性材料のストリップと一体的に形成された、外側屈曲部分として形成され、前記ストリップは、前記磁場検出器の端部の周りで概ねＵ字型に屈曲しており、また前記ハウジングの前記外側面に対して取り付けられた部分を有する、磁場センサー装置。
【請求項８】
請求項７に記載の磁場センサー装置において、
前記接地デバイスの自由端部は、前記ハウジングの一方の側面のガイドチャネルまたはスロットに受容され、前記端子は、前記ハウジングのもう一方の側面のガイドチャネルまたはスロットに受容されている、磁場センサー装置。
【請求項９】
請求項１〜８のいずれか１項に記載の磁場センサー装置において、
前記接地デバイスは、孔を含み、前記接点は、ブリッジ部分により接続された、離間枝部上に形成されている、磁場センサー装置。
【請求項１０】
請求項５、７、８のいずれか１項に記載の磁場センサー装置において、
前記接地デバイスの前記伝導性材料は、非磁性である、磁場センサー装置。
【請求項１１】
請求項１０に記載の磁場センサー装置において、
前記接地デバイスは、板金から打ち抜かれて形成された、単一の一体部品である、磁場センサー装置。
【請求項１２】
電流変換器において、
エアギャップを備えた磁気回路コアと、
磁気回路コアの端面間に形成されたギャップの中に位置付けられた磁場検出器を含む磁場センサー装置と、
を含み、
前記磁場センサー装置は、ハウジングと、接地デバイスと、前記磁場検出器、ハウジング、および接地デバイスが取り付けられる回路基板と、をさらに含み、
前記磁場検出器および前記接地デバイスは、前記ハウジングに取り付けられ、
前記接地デバイスは、弾性的に支持され、前記磁場検出器の感知部分に隣接して取り付けられ、かつ前記磁気回路コアのギャップに挿入された、少なくとも１つの接点を含み、前記接点は、前記磁気回路コアの前記端面に対して弾性的に付勢し、
前記回路基板は、孔を含み、
前記ハウジングは、フランジを含む取り付け基部を含み、
前記孔、前記取り付け基部、および前記フランジは、前記ハウジングが、前記回路基板の前記孔を通じて挿入され、前記フランジにより、前記磁気回路コアに面する前記回路基板の面とは反対側にある、前記回路基板の接続面に載ることを可能にするように構成されていることを特徴とする、電流変換器。
【請求項１３】
請求項１２に記載の電流変換器において、
前記磁気回路コアは、測定されるべき電流を運ぶ一次導体を中に受容するための中央キャビティを囲む、回路を形成する、電流変換器。
【請求項１４】
請求項１２または１３に記載の電流変換器において、
前記磁場センサー装置は、請求項２〜１１のいずれか１項に記載の磁場センサー装置である、電流変換器。
【発明の詳細な説明】
【開示の内容】
【０００１】
本発明は、特に電流変換器の、磁気回路のギャップ内に位置付けられる磁場センサー装置に関し、この磁場センサー装置は、磁気回路を接地する手段を含む。
【０００２】
多くの従来の電流変換器は、高い透磁率を持つ材料で作られた磁気コアと、磁気コアに形成されたギャップ内に位置付けられた、ホール効果センサーなどの磁場センサーと、を含む。磁気回路の中央通路を通って延びる一次導体は、磁気コアによりとらえられる磁場を生成する。磁場は、ギャップ、およびその中に位置付けられた磁場検出器を横切って流れる。
【０００３】
放電を回避し、一次導体の中を流れる電流の正確な測定を確実にするため、磁気コアはしばしば接地される。典型的には、これは、接地されるように構成された導電体を、磁気コアにはんだづけ、溶接、またはクリンプすることによって行われる。しかしながら、高い透磁率を持つ材料の働きは、特に、それらの透磁率を低減し、これにより磁気回路の磁気性能に悪影響を及ぼすことによって、それらの材料の磁気特性に影響を及ぼし得る。
【０００４】
ＵＳ２０１０／２５９２４８は、エアギャップを備えた磁気コアと、エアギャップ内に位置付けられた磁場検出器と、伝導性の取り付け要素と、を含む、電流センサーを開示している。ブリッジ部分が、固定延長部を相互接続し、エアギャップを横切って広がっている。ブリッジ部分は、磁場検出器の接地パッドと電気接触している電気端子を含む。
【０００５】
ＷＯ２００９／１５１０１１は、ギャップが形成された環状コアと、ギャップ内に配列された電磁センサーと、電磁センサーを静電的に遮蔽する、接地された遮蔽手段と、を備えた、電流センサーを開示している。
【０００６】
ＪＰ２０１１  ００７５９６は、エアギャップと、回路基板と、エアギャップ内に位置付けられたホール素子と、を備えた、電流センサーコアを開示している。この電流センサーは、ホール素子を圧迫する、曲がった圧迫プレートを備えた、接地部材を含む。
【０００７】
本発明の目的は、大型の連続製造（large series manufacturing）において実施するのに経済的で、小型であり、かつ有効な接地接続を提供する、電流変換器の磁気回路用の磁場センサーおよび接地デバイスを提供することである。
【０００８】
ギャップを備えた磁気回路と、磁場センサーと、接地デバイスと、を有し、頑丈で、大型の連続製造において特に製造するのが経済的である、電流変換器を提供することも、本発明の目的である。
【０００９】
小型で組み立てるのが容易な電流変換器を提供することは、有利であろう。
【００１０】
均一な磁性材料特性、特に高い均一な透磁率を有する、磁気コアを有する電流変換器を提供することは、有利であろう。
【００１１】
本発明の目的は、特に電流変換器の、磁気回路のギャップに位置付けられる、請求項１に記載の磁場センサー装置を提供することにより、達成されている。
【００１２】
本発明の目的は、請求項１２に記載の電流変換器を提供することにより、達成されている。
【００１３】
本明細書には、磁気回路コアの端面間に形成されたギャップに位置付けられる磁場検出器と、ハウジングと、接地デバイスと、を含む磁場センサー装置が開示される。磁場センサーおよび接地デバイスは、ハウジングに取り付けられ、接地デバイスは、弾性的に支持され、かつ磁気コアと電気的に接触するように構成された、少なくとも１つの接点を含む。弾性的に支持された接点は、磁場センサーの感知部分に隣接して取り付けられ、磁気回路コアのギャップに挿入されるように構成され、接点は、磁気コアの端面に対して弾性的に付勢する。磁場センサー装置は、回路基板をさらに含み、この回路基板に、磁場検出器、ハウジング、および接地デバイスが取り付けられ、接続される。ハウジングの取り付け基部は、フランジを含み、フランジは、ハウジングが、回路基板または他の支持形態の孔を通じて挿入され、フランジによって、磁気コアに面する回路基板の面とは反対側にある、回路基板の接続面に載ることを可能にするように構成されている。
【００１４】
磁場検出器は、端子を含み、これらの端子は、有利には、ハウジングの取り付け基部に形成されたセンサー端子ガイドスロット内に位置付けられ得る。ある実施形態では、端子は、回路基板の面上の接触パッドに表面取り付け接続される（surface mount connection）ように構成されている。
【００１５】
有利には、磁場検出器および接地デバイスを一緒に位置付けて保持し、かつこれらの２つの部品を回路基板に取り付けるのに役立つ、ハウジングは、センサー受容キャビティを含んでよく、センサー受容キャビティ内に、磁場検出器が挿入され、収容される。
【００１６】
有利な実施形態では、ハウジングは、接地デバイスをハウジングの周りに保持するかまたは位置付けるように構成された、ハウジングのそれぞれの外側面上に配された、接地端子ガイドスロットおよび接地自由端部ガイドスロットを含む。
【００１７】
有利な実施形態では、接地デバイスは、磁場検出器の周りに位置付けられた、伝導性材料の、概ねＵ字型のバンドまたはストリップを含む。接点は、有利には、コアのそれぞれの向かい合った端面と電気的に接触するように、ハウジングの向かい合った側面上に設けられてよい。
【００１８】
有利な実施形態では、接点は、接地導体に接続される１つまたは２つ以上の端子を含む伝導性材料のストリップと一体的に形成された、外側屈曲部分として形成され、このストリップは、磁場センサーの端部の周りで概ねＵ字型に屈曲し、ハウジングの外側面に接して取り付けられた部分を有している。
【００１９】
有利な実施形態では、接地素子の自由端部は、一方の側面上のガイドチャネルまたはスロットに受容され、端子は、ハウジングのもう一方の側面上のガイドチャネルまたはスロットに受容される。
【００２０】
有利な実施形態では、接地デバイスは、孔を含み、接点は、ブリッジ部分により接続された、離間枝部に形成される。
【００２１】
有利な実施形態では、接地デバイスは、板金から打ち抜かれ、形成された、単一の一体部品であってよい。
【００２２】
エアギャップを備えた磁気コアと、前述したような磁場センサー装置と、を含む、電流変換器も本明細書に開示される。磁気コアは、測定されるべき電流を運ぶ一次導体を中に受容するための中央キャビティを囲む、回路を形成し得る。一次導体の一部は、電流変換器において一体化されてよく、一次導体に接続される端子を含むことができるか、あるいは、電流変換器は、一次導体を中に挿入することを可能にする中央通路を含むことができる。電流変換器は、例えば、開ループ型の電流変換器であってよい。
【００２３】
本発明のさらなる目的および有利な特徴は、請求項、および添付図面と関連した実施形態の以下の詳細な説明から、明らかであろう。
【００２４】
図面を参照すると、電流変換器１は、磁気回路２、および磁場感知デバイス３を含む。磁気回路２は、（空気で満たされていない場合もあるが、一般的には「エアギャップ」としても知られている）ギャップ６を備えた環状磁気コア４を含む。ギャップ６は、磁気コア４の向かい合った端面１２間に形成されている。磁気コア４は、それ自体が周知である、高い透磁率を有する材料で作られており、例えば、そのような材料には、ＦｅＳｉまたはＦｅＮｉ合金が含まれる。磁気コアの中央通路９は、測定されるべき電流を運ぶ１つまたは２つ以上の一次導体を内部に受容するように構成されている。
【００２５】
例示した実施形態では、磁場感知デバイス３は、磁場検出器５、回路基板７、ハウジング１０、および接地デバイス８を含む。変形体（不図示）では、磁場感知デバイスは、回路基板無しで構成されてもよく、また、外部回路（不図示）に接続するためのコネクタを含むことができる。
【００２６】
磁場検出器は、回路基板７の伝導性トラック２３に接続されるか、または代わりに外部コネクタ（不図示）の端子に接続されるように構成された、センサー接触端子１５を備える特定用途向け集積回路（ＡＳＩＣ）の形態のホールセンサーであってよい。このようなホール効果センサーは、それ自体が周知である。他のタイプの磁場検出器、例えばフラックスゲートタイプのセンサーもしくは巨大磁気抵抗センサーが、本発明で実施されることもできる。
【００２７】
ハウジング１０は、磁場検出器５が挿入され収容される、センサー受容キャビティ１１を含む。磁場検出器端子１５は、ハウジングの取り付け基部１６に形成されたセンサー端子ガイドスロット１３の中に位置付けられる。例示される実施形態では、端子１５は、回路基板７の面上の接触パッド２３に表面取り付け接続されるように構成され、これらの端子は、磁場検出器をハウジングのキャビティ１１に挿入した後で、磁場検出器ＡＳＩＣの近くの位置で、直角に曲げられる。変形体では、磁場検出器の端子１５は、回路基板の伝導性の穴に挿入されるピン端子として、または相補的な外部コネクタ（不図示）に接続される端子として、構成されることもできる。図示する実施形態では、ハウジング１０の取り付け基部１６は、有利には、フランジ２８を含み、フランジ２８は、ハウジングが、回路基板または他の基盤または支持形態の孔１７を通って挿入され、フランジ２８によって、磁気コア４に面する回路基板の面２７ｂとは反対側にある、回路基板の接続面２７ａに載ることを可能にするように、構成されている。回路基板の孔の分極素子２９もしくは形状に相補的な、ハウジングの分極素子３０が設けられて、孔１７を通じて挿入されたハウジング１０の正しい向きを確保することができる。
【００２８】
ハウジングは、接地デバイス８を支持し、かつ、外部接地接続部、例えば例示された実施形態では回路基板７上の接地パッド２４に、接地デバイスが電気的に接続されるのを可能にするのにも役立つ。この点に関し、ハウジングは、ハウジング１０の外側面２６ａ、２６ｂ上に配された接地端子ガイドスロット１４ａおよび接地自由端部ガイドスロット１４ｂを含む。
【００２９】
接地デバイスは、非磁性材料で作られている。接地デバイス８は、少なくとも部分的に導電性材料を含み、例えば回路基板もしくはコネクタデバイス上に提供される、電気的接地端子への接地接続部と、磁気コア４との間に、電気的な接地接続をもたらすのに役立つ。
【００３０】
接地デバイス８は、有利には、特に打ち抜かれて形成された板金で作られていてよい、伝導性材料の概ねＵ字型のバンドまたはストリップを含むことができる。接地デバイス８は、回路基板１７の１つまたは２つ以上の伝導性接地パッドもしくは伝導性トラック２４に接続されるため、または外部コネクタ（不図示）の接地ワイヤもしくは接地端子に接続されるための、１つまたは２つ以上の端子１８を含む。有利な実施形態では、端子１８は、例示した実施形態に図示されるように、伝導性パッド２４に表面取り付け接続される、表面取り付けピンまたはタブの形態である。変形体（不図示）では、これらの端子は、回路基板の伝導性貫通孔に挿入されるピンの形態で設けられてよい。後者の変形体では、ハウジング１０は、磁気コア４に面する回路基板の面２７ｂ上に取り付けられ、これにより、回路基板の孔１７を省略することができる。しかしながら、例示された実施形態は、回路基板に対する磁場センサーの頑丈で安定した小型取り付けをもたらして、磁気回路との接地接点と回路基板１７との間の片持ち距離を低減するので、特に有利である。
【００３１】
接地デバイスは、磁気コア４のギャップ６に挿入されるように、かつギャップを形成するコアの端面１２に対してバネ付勢するように、構成されている、弾性的に支持された接点２０を含む。接点２０は、コアのそれぞれの向かい合った端面１２と電気的に接触するように、向かい合った側面上に設けられている。しかしながら、変形体では、端面１２のうちの一方のみに対して付勢するように、一方の側面のみに弾性的に支持された接点２０を設けてもよく、もう一方の側面は、例えば、反対側の端面に対して付勢されるが、弾性的に支持されていない停止表面（rest surface）を形成する。例示した実施形態では、接点２０は、１つまたは２つ以上の端子１８を構成する伝導性材料のストリップと一体的に形成された外側屈曲部分として形成され、このストリップは、磁場センサーの端部の周辺で概ねＵ字型に屈曲しており、また、ハウジングの外側面２６ａ、２６ｂに対して取り付けられた部分を有する。接地素子の自由端部２２は、一方の側面２６ｂのガイドチャネルまたはスロット１４ｂに受容され、端子１８は、ハウジングのもう一方の側面２６ａのガイドチャネルまたはスロット１４ａに受容される。例示される実施形態では、接地デバイス８は、孔を含み、接点２０は、ブリッジ部分２５により接続された、離間枝部２１上に形成される。これにより、磁気コアとより良く電気的に接触するように、接点部分２０の幾らか独立した弾性がもたらされ、また、接地素子において発生する渦電流による、磁気遮蔽効果が制限される。接地デバイスの伝導性材料は、非磁性であり、言い換えれば、空気の透磁率に近い透磁率を有している。
【００３２】
変形体（不図示）では、接地デバイスは、板金以外の材料において形成されてよく、例えば、弾性特性を備えたワイヤから形成されてよく、あるいは、ハウジングにより保持およびガイドされるか、またはハウジングと一体的に成型された、別個に製造されたバネ（separately manufacture spring）に取り付けられた電気接点を含み得る。さらに他の変形体（不図示）では、接点は、弾性特性を備えた誘電性支持体上に伝導性コーティングまたはめっきとして形成され得る。例えば、ハウジングと一体的に成型され、外側壁から突出する、弾性アームは、回路基板上の接地パッドにはんだづけで接続される取り付けフランジ２８まで延びる伝導性材料でめっきされてよい。
【００３３】
有利には、本発明は、磁気コアの接地接続を実行することを可能にし、これは、溶接、はんだづけ、またはクリンプなしで、磁場センサーを磁気コアのエアギャップに挿入することによる恩恵を受けるものである。また、接地デバイスは、磁気コアに対し容易に組み立てられ得る、小型で費用対効果が高い構成を形成する磁場感知デバイスに対して組み立てられるか、または、磁場感知デバイスの一部である。
【００３４】
接地デバイスを備えた複数の磁場感知デバイスは、複数の磁気コアに対して組み立てられる一般的な回路基板に取り付けられることができる。これは、例えば、多相電流感知デバイスにおいて、有用となり得る。
【００３５】
本発明の磁場センサー装置は、さまざまな適用のためにさまざまな形状およびサイズを有する磁気コアのギャップに挿入されることができ、磁気コアが中央チャネルの周りに回路を形成しなくてもよいこと、または複数のエアギャップを含み得ることが、理解される。
【００３６】
本発明による磁場センサー装置は、磁場が電流測定以外のために測定されるシステムにおいて実施されることもできる。
【００３７】
〔実施の態様〕
（１）  磁場センサー装置において、
磁気回路コア（４）の端面（１２）間に形成されたギャップ内に位置付けられる磁場検出器（５）と、
ハウジング（１０）と、
接地デバイス（８）と、
前記磁場検出器、ハウジング、および接地デバイスが取り付けられる回路基板（７）と、
を含み、
前記磁場検出器および接地デバイスは、前記ハウジングに取り付けられ、
前記接地デバイスは、弾性的に支持され、かつ前記磁気コアと電気的に接触するように構成された、少なくとも１つの接点（２０）を含み、
弾性的に支持された前記接点は、前記磁場センサーの感知部分に隣接して取り付けられ、前記磁気回路コアのギャップに挿入されるように構成され、前記接点は、前記磁気コアの前記端面に対して弾性的に付勢し、
前記回路基板（７）は、孔（１７）を含み、
前記ハウジング（１０）は、フランジ（２８）を含む取り付け基部（１６）を含み、
前記孔（１７）、前記取り付け基部（１６）、および前記フランジ（２８）は、前記ハウジングが、前記回路基板（７）の前記孔（１７）を通じて挿入され、前記フランジ（２８）によって、前記磁気コアに面する前記回路基板の面（２７ｂ）とは反対側にある、前記回路基板の接続面（２７ｂ）に載ることを可能にするように、構成されていることを特徴とする、磁場センサー装置。
（２）  実施態様１に記載の磁場センサー装置において、
前記磁場検出器は、前記ハウジングの取り付け基部（１６）に形成されたセンサー端子ガイドスロット（１３）の中に位置付けられた端子（１５）を含み、前記端子は、前記回路基板（７）の面上の接触パッド（２３）に表面取り付け接続されるように構成されている、磁場センサー装置。
（３）  実施態様１または２に記載の磁場センサー装置において、
前記ハウジングは、前記磁場検出器が挿入され収容される、センサー受容キャビティ（１１）を含む、磁場センサー装置。
（４）  実施態様３に記載の磁場センサー装置において、
前記ハウジングは、前記接地デバイスを前記ハウジングに対して保持または位置付けるように構成されている、前記ハウジングのそれぞれの外側面（２６ａ、２６ｂ）上に配された、接地端子ガイドスロット（１４ａ）および接地自由端部ガイドスロット（１４ｂ）を含む、磁場センサー装置。
（５）  実施態様４に記載の磁場センサー装置において、
前記接地デバイスは、前記磁場検出器の周りに位置付けられた、伝導性材料の概ねＵ字型のバンドまたはストリップを含む、磁場センサー装置。
【００３８】
（６）  実施態様４または５に記載の磁場センサー装置において、
前記接点は、前記コアのそれぞれの向かい合った端面と電気的に接触するように前記ハウジングの向かい合った側面上に設けられている、磁場センサー装置。
（７）  実施態様１〜６のいずれかに記載の磁場センサー装置において、
前記接点は、１つまたは２つ以上の端子（１８）を構成する、伝導性材料のストリップと一体的に形成された、外側屈曲部分として形成され、前記ストリップは、前記磁場センサーの端部の周りで概ねＵ字型に屈曲しており、また前記ハウジングの前記外側面（２６ａ、２６ｂ）に対して取り付けられた部分を有する、磁場センサー装置。
（８）  実施態様７に記載の磁場センサー装置において、
前記接地素子の自由端部（２２）は、一方の側面（２６ｂ）のガイドチャネルまたはスロット（１４ｂ）に受容され、前記端子は、前記ハウジングのもう一方の側面（２６ａ）のガイドチャネルまたはスロット（１４ａ）に受容されている、磁場センサー装置。
（９）  実施態様１〜８のいずれかに記載の磁場センサー装置において、
前記接地デバイスは、孔を含み、前記接点は、ブリッジ部分（２５）により接続された、離間枝部（２１）上に形成されている、磁場センサー装置。
（１０）  実施態様１〜９のいずれかに記載の磁場センサー装置において、
前記接地デバイスの前記伝導性材料は、非磁性である、磁場センサー装置。
【００３９】
（１１）  実施態様１０に記載の磁場センサー装置において、
前記接地デバイスは、板金から打ち抜かれて形成された、単一の一体部品である、磁場センサー装置。
（１２）  電流変換器において、
エアギャップ（６）を備えた磁気コア（４）と、
磁気回路コア（４）の端面（１２）間に形成されたギャップの中に位置付けられた磁場検出器（５）を含む磁場センサー装置と、
を含み、
前記磁場センサー装置は、ハウジング（１０）と、接地デバイス（８）と、前記磁場検出器、ハウジング、および接地デバイスが取り付けられる回路基板（７）と、をさらに含み、
前記磁場検出器および接地デバイスは、前記ハウジングに取り付けられ、
前記接地デバイスは、弾性的に支持され、前記磁場センサーの感知部分に隣接して取り付けられ、かつ前記磁気回路コアのギャップに挿入された、少なくとも１つの接点（２０）を含み、前記接点は、前記磁気コアの前記端面に対して弾性的に付勢し、
前記回路基板（７）は、孔（１７）を含み、
前記ハウジング（１０）は、フランジ（２８）を含む取り付け基部（１６）を含み、
前記孔（１７）、前記取り付け基部（１６）、および前記フランジ（２８）は、前記ハウジングが、前記回路基板（７）の前記孔（１７）を通じて挿入され、前記フランジ（２８）により、前記磁気コアに面する前記回路基板の面（２７ｂ）とは反対側にある、前記回路基板の接続面（２７ｂ）に載ることを可能にするように構成されていることを特徴とする、電流変換器。
（１３）  実施態様１２に記載の電流変換器において、
前記磁気コアは、測定されるべき電流を運ぶ一次導体を中に受容するための中央キャビティを囲む、回路を形成する、電流変換器。
（１４）  実施態様１２または１３に記載の電流変換器において、
前記磁場センサー装置は、実施態様２〜１１のいずれかに記載の磁場センサー装置の特徴部を含む、電流変換器。
【図面の簡単な説明】
【００４０】
【図１ａ】ハウジングおよび回路基板の一部が取り外されている、本発明のある実施形態による電流変換器の斜視図である。
【図１ｂ】磁場センサー装置が磁気コアから分解されている、図１ａのデバイスの図である。
【図２ａ】図１ｂの磁場センサー装置の斜視図である。
【図２ｂ】磁場検出器、ハウジングおよび接地デバイスが回路基板から分解されている、図２ａのデバイスの図である。
【図３ａ】図２ｂの磁場検出器、ハウジング、および接地デバイスの斜視図である。
【図３ｂ】接地デバイスの端子が、曲げられる前にハウジングに挿入されたところが示されている、図３ａのデバイスの図である。
【図３ｃ】接地デバイスがハウジングから分解されている、図３ａのデバイスの図である。
【図３ｄ】図３ａのデバイスの分解組立図である。
【図４ａ】接地デバイスの組立前の、図３ｂの磁場検出器およびハウジングの斜視図である。
【図４ｂ】別の角度から見た、図４ａのデバイスの図である。
【図４ｃ】磁場検出器の端子が表面取り付け接続のために曲げられたところが示されている、図４ａのデバイスの図である。
【図１ａ】
0006526785.tif 000002
【図１ｂ】
0006526785.tif 000003
【図２ａ】
0006526785.tif 000004
【図２ｂ】
0006526785.tif 000005
【図３ａ】
0006526785.tif 000006
【図３ｂ】
0006526785.tif 000007
【図３ｃ】
0006526785.tif 000008
【図３ｄ】
0006526785.tif 000009
【図４ａ】
0006526785.tif 000010
【図４ｂ】
0006526785.tif 000011
【図４ｃ】
0006526785.tif 000012